(57)【要約】【課題】編集データの呼び出し機能を用いた場合に、ユーザーの意に反して印刷不可能となってしまう不具合を防止可能な情報処理装置、テープ印刷装置および情報処理装置の編集方法を提供する。【解決手段】本発明のテープ印刷装置１は、テープの種別または識別子を示す媒体情報と、編集データを含むユーザー設定と、を関連付け、情報記憶領域８４に保存する保存部８６と、印刷対象となる印刷媒体の媒体情報を取得する媒体情報取得部８５と、取得した媒体情報に関連付けられたユーザー設定を情報記憶領域８４から呼び出し、編集データに反映する編集部８７と、編集部８７の編集結果に基づいて、テープに印刷を行う印刷部８８と、を備える。【選択図】図３
2017052249.tif 000002
【特許請求の範囲】
【請求項１】
印刷媒体の種別または識別子を示す媒体情報と、編集データを含むユーザー設定と、を関連付け、情報記憶領域に保存する保存部と、
印刷対象となる前記印刷媒体の前記媒体情報を取得する媒体情報取得部と、
取得した前記媒体情報に関連付けられた前記ユーザー設定を前記情報記憶領域から呼び出し、編集データに反映する編集部と、を備えることを特徴とする情報処理装置。
【請求項２】
前記媒体情報取得部は、第１のトリガーが発生したとき、印刷対象となる前記印刷媒体の前記媒体情報を取得し、
前記ユーザー設定の呼び出しの要否を設定する呼び出し設定部を備え、
前記編集部は、前記呼び出し設定部により、呼び出し「要」と設定された場合に、前記第１のトリガーの発生に伴って前記ユーザー設定を呼び出すことを特徴とする請求項１に記載の情報処理装置。
【請求項３】
前記媒体情報取得部は、第２のトリガーが発生したとき、印刷対象となる前記印刷媒体の前記媒体情報を取得し、
前記保存部は、前記第２のトリガーが発生したときの前記編集部の編集データを含む前記ユーザー設定と、前記第２のトリガーが発生したときに取得した前記媒体情報と、を関連付けて保存することを特徴とする請求項１または２に記載の情報処理装置。
【請求項４】
前記保存部による保存の要否を設定する保存設定部を備え、
前記保存部は、前記保存設定部により、保存「要」と設定された場合に、前記ユーザー設定と前記媒体情報を関連付けて保存することを特徴とする請求項３に記載の情報処理装置。
【請求項５】
前記ユーザー設定は、前記第２のトリガーが発生したときの環境設定値を含むことを特徴とする請求項３または４に記載の情報処理装置。
【請求項６】
前記媒体情報は、前記印刷媒体の種別を示すものであり、
前記印刷媒体の種別は、前記印刷媒体の大きさ、前記印刷媒体の色、前記印刷媒体の材質、前記印刷媒体に印刷可能な印刷色、のうち、少なくとも１の情報によって分類されることを特徴とする請求項１ないし５のいずれか１項に記載の情報処理装置。
【請求項７】
テープの種別または識別子を示す媒体情報と、編集データを含むユーザー設定と、を関連付け、情報記憶領域に保存する保存部と、
印刷対象となる前記テープの前記媒体情報を取得する媒体情報取得部と、
取得した前記媒体情報に関連付けられた前記ユーザー設定を前記情報記憶領域から呼び出し、編集データに反映する編集部と、
前記編集部の編集結果に基づいて、前記テープに印刷を行う印刷部と、を備えることを特徴とするテープ印刷装置。
【請求項８】
印刷媒体の種別または識別子を示す媒体情報と、編集データを含むユーザー設定と、を関連付け、情報記憶領域に保存する保存ステップと、
第１のトリガーが発生したとき、印刷対象となる印刷媒体の前記媒体情報を取得する媒体情報取得ステップと、
取得した前記媒体情報に関連付けられた前記ユーザー設定を前記情報記憶領域から呼び出し、編集データに反映する編集ステップと、を実行することを特徴とする情報処理装置の編集方法。
【発明の詳細な説明】
【技術分野】
【０００１】
本発明は、編集データの呼び出し機能を有する情報処理装置、テープ印刷装置および情報処理装置の編集方法に関する。
【背景技術】
【０００２】
この種の技術として、例えば非特許文献１が知られている。非特許文献１には、編集データをファイルとして保存しておき、ファイル番号を指定して編集データを呼び出す機能が開示されている。このような呼び出し機能を用いることにより、同じ内容を繰り返し印刷する場合に便利である。
【先行技術文献】
【非特許文献】
【０００３】
【非特許文献１】「テプラ」ＰＲＯ  ＳＲ５５  取扱説明書  ２０１４年２月  第１版  株式会社キングジム  第６０−６１頁
【発明の概要】
【発明が解決しようとする課題】
【０００４】
ところで、上記のような呼び出し機能には、以下の課題がある。編集データ作成時に想定されていたテープ幅に対し、編集データ呼び出し時に装着されているテープのテープ幅が短いと、テープ幅不足により印刷不可能となってしまうことである。このためユーザーは、ファイルを呼び出した後、編集データの設定を確認したり試し印刷を行うなどして、印刷可能か否かを調べる必要がある。また、印刷不可能な場合は、編集データを編集し直したり他のファイルを探すなどの手間がさらに必要となる。このように、ユーザーが編集した編集データを呼び出す機能は、編集作業を行う上で非常に便利であるが、ユーザーの意に反して印刷不可能となる場合があり、改善が望まれている。
【０００５】
本発明は、上記の問題点に鑑み、編集データの呼び出し機能を用いた場合に、ユーザーの意に反して印刷不可能となってしまう不具合を防止可能な情報処理装置、テープ印刷装置および情報処理装置の編集方法を提供することを目的とする。
【課題を解決するための手段】
【０００６】
本発明の情報処理装置は、印刷媒体の種別または識別子を示す媒体情報と、編集データを含むユーザー設定と、を関連付け、情報記憶領域に保存する保存部と、印刷対象となる印刷媒体の媒体情報を取得する媒体情報取得部と、取得した媒体情報に関連付けられたユーザー設定を情報記憶領域から呼び出し、編集データに反映する編集部と、を備えることを特徴とする。
【０００７】
本発明のテープ印刷装置は、テープの種別または識別子を示す媒体情報と、編集データを含むユーザー設定と、を関連付け、情報記憶領域に保存する保存部と、印刷対象となるテープの媒体情報を取得する媒体情報取得部と、取得した媒体情報に関連付けられたユーザー設定を情報記憶領域から呼び出し、編集データに反映する編集部と、編集部の編集結果に基づいて、テープに印刷を行う印刷部と、を備えることを特徴とする。
【０００８】
本発明の情報処理装置の編集方法は、印刷媒体の種別または識別子を示す媒体情報と、編集データを含むユーザー設定と、を関連付け、情報記憶領域に保存する保存ステップと、第１のトリガーが発生したとき、印刷対象となる印刷媒体の媒体情報を取得する媒体情報取得ステップと、取得した媒体情報に関連付けられたユーザー設定を情報記憶領域から呼び出し、編集データに反映する編集ステップと、を実行することを特徴とする。
【０００９】
本発明は、媒体情報と、編集データを含むユーザー設定と、を関連付けて保存しておき、編集作業を行う際は、印刷対象となる印刷媒体の媒体情報に関連付けられたユーザー設定を呼び出して編集データに反映する。この構成により、テープ印刷装置の場合、編集作業時に装着されているテープに適した編集データを呼び出すため、テープ幅不足等により、ユーザーの意に反して印刷不可能となる不具合がない。また、テープを交換するだけで編集データを呼び出すことができるため、編集作業時間を短縮化することができる。また、これにより印刷ミスも軽減でき、無駄なテープ消費を抑制することができる。
【００１０】
上記の情報処理装置において、媒体情報取得部は、第１のトリガーが発生したとき、印刷対象となる印刷媒体の媒体情報を取得し、ユーザー設定の呼び出しの要否を設定する呼び出し設定部を備え、編集部は、呼び出し設定部により、呼び出し「要」と設定された場合に、第１のトリガーの発生に伴ってユーザー設定を呼び出すことを特徴とする。
【００１１】
本発明の構成によれば、第１のトリガー発生時にユーザー設定を呼び出すか否かを、ユーザーの好みに応じて設定することができる。
なお、呼び出し設定部は、呼び出しの要否だけでなく、ユーザー設定を呼び出すタイミング（第１のトリガー）を設定可能としても良い。
【００１２】
上記の情報処理装置において、媒体情報取得部は、第２のトリガーが発生したとき、印刷対象となる印刷媒体の媒体情報を取得し、保存部は、第２のトリガーが発生したときの編集部の編集データを含むユーザー設定と、第２のトリガーが発生したときに取得した媒体情報と、を関連付けて保存することを特徴とする。
【００１３】
本発明は、第２のトリガーの発生に伴って、当該第２のトリガーが発生したときの編集データを含むユーザー設定と媒体情報を関連付けて保存する。この構成により、例えば第２のトリガーを印刷実行時とすることで、ユーザーの手を煩わせることなく自動保存を行うことができる。また、例えば第２のトリガーをユーザーによる所定の操作時とすることで、ユーザーが所望する編集データを保存することができる。
【００１４】
上記の情報処理装置において、保存部による保存の要否を設定する保存設定部を備え、保存部は、保存設定部により、保存「要」と設定された場合に、ユーザー設定と媒体情報を関連付けて保存することを特徴とする。
【００１５】
本発明の構成によれば、第２のトリガー発生時にユーザー設定と媒体情報を保存するか否かを、ユーザーの好みに応じて設定することができる。
なお、保存設定部は、保存の要否だけでなく、ユーザー設定と媒体情報を保存するタイミング（第２のトリガー）を設定可能としても良い。
【００１６】
上記の情報処理装置において、ユーザー設定は、第２のトリガーが発生したときの環境設定値を含むことを特徴とする。
【００１７】
本発明の構成によれば、第２のトリガーが発生したときに情報処理装置に設定されていた環境設定値も、ユーザー設定の一部として保存しておくことができる。
【００１８】
上記の情報処理装置において、媒体情報は、印刷媒体の種別を示すものであり、印刷媒体の種別は、印刷媒体の大きさ、印刷媒体の色、印刷媒体の材質、印刷媒体に印刷可能な印刷色、のうち、少なくとも１の情報によって分類されることを特徴とする。
【００１９】
本発明の構成によれば、印刷媒体の大きさ（幅、長さなど）、印刷媒体の色、印刷媒体の材質、印刷媒体に印刷可能な印刷色によって分類される印刷媒体の種別ごとに、ユーザー設定を保存しておき、当該種別をキーとして、ユーザー設定を呼び出すことができる。
【図面の簡単な説明】
【００２０】
【図１】テープ印刷装置の外観斜視図である。
【図２】テープ印刷装置のハードウェア構成を示すブロック図である。
【図３】テープ印刷装置の機能構成を示すブロック図である。
【図４】保存ファイルの説明図である。
【図５】ユーザー設定保存操作を示す画面遷移図である。
【図６】図５に続く、画面遷移図である。
【図７】図６に続く、画面遷移図である。
【図８】ユーザー設定呼び出し操作を示す画面遷移図である。
【図９】図８に続く、画面遷移図である。
【図１０】図９に続く、画面遷移図である。
【図１１】呼び出し確認画面の一例を示す図である。
【図１２】ユーザー設定保存処理の流れを示すフローチャートである。
【図１３】ユーザー設定呼び出し処理の流れを示すフローチャートである。
【図１４】第２実施形態に係る印刷システムの機能構成を示すブロック図である。
【図１５】テープ印刷装置に記憶されている全ての印刷履歴の表示例を示す図である。
【図１６】テープ種別で抽出された印刷履歴の表示例を示す図である。
【発明を実施するための形態】
【００２１】
[第１実施形態]
以下、添付の図面を参照して、本発明の情報処理装置、テープ印刷装置および情報処理装置の編集方法について説明する。本実施形態では、本発明の情報処理装置を、テープ印刷装置に適用した場合を例示する。
【００２２】
図１は、テープ印刷装置１の外観斜視図である。同図に示すようにテープ印刷装置１は、装置ケース２により外郭が形成され、装置ケース２の前部上面には各種入力キー・ボタンを備えたキーボード３が配置されると共に、後部上面には、その左部に開閉蓋２１が取り付けられ、その右部には表示画面４１が配設されている。開閉蓋２１の内側にはテープカートリッジＣを装着するためのカートリッジ装着部６が窪入形成されており、テープカートリッジＣは、開閉蓋２１を開放した状態でカートリッジ装着部６に装着される。
【００２３】
装置ケース２の左側部には、カートリッジ装着部６と外部とを連通するテープ排出口２２が形成され、このテープ排出口２２には、不図示のテープ搬送機構により送り出した印刷テープＴを切断するためのテープカッター２３が臨んでいる。そして、テープ排出口２２から印刷済みの印刷テープＴが所定長さだけ送り出され、送りを一旦停止させた状態でテープカッター２３により切断されて、短冊状のラベル（図示省略）が作成される。
【００２４】
一方、カートリッジ装着部６には、ヘッドカバー６１ａ内にサーマルタイプの印刷ヘッド７が内蔵されたヘッドユニット６１と、印刷ヘッド７に対峙するプラテン駆動軸６２と、後述のインクリボンＲを巻き取る巻き取り駆動軸６３と、後述のテープリール１７の位置決め突起６４とを備えている。また、カートリッジ装着部６の下側には、テープ搬送機構となるプラテン駆動軸６２および巻き取り駆動軸６３を回転させるテープ送りモーター２６（図２参照）が内蔵されている。
【００２５】
テープカートリッジＣは、カートリッジケース５１内部の上部中央部に、一定の幅の印刷テープＴを巻回したテープリール１７と、右下部にインクリボンＲを巻回したリボンリール１９とを収容して構成されている。また、テープリール１７の左下部には上記ヘッドユニット６１を覆うヘッドカバー６１ａが差し込まれるための貫通孔５５が形成されている。また、リボンリール１９に近接してリボン巻き取りリール５４が配置され、リボンリール１９から繰り出されたインクリボンＲは、ヘッドカバー６１ａを周回するように、リボン巻き取りリール５４に巻き取られる。
【００２６】
一方、印刷テープＴは、裏面に粘着剤層が形成された記録テープＴａと、剥離テープＴｂとから成り、記録テープＴａを外側にしてロール状に巻回され、カートリッジケース５１内に収容されている。また、印刷テープＴは、テープ種別が異なる複数種のものが用意されており、各カートリッジケース５１には、このうち１種類の印刷テープＴ（およびインクリボンＲ）が収容されている。
【００２７】
次に、図２を参照し、テープ印刷装置１のハードウェア構成について説明する。テープ印刷装置１は、ハードウェア構成として、キーボード３、表示画面４１、テープ識別センサー２７、メモリー７０、印刷機構７１および制御機構７２を備える。
【００２８】
キーボード３は、テキスト（文字、絵文字、記号など）の入力および編集、画像の挿入および編集、各種設定を行う。表示画面４１は、テキスト編集画面（図示省略）や各種操作画面（図５〜図１１参照）を表示する。テープ識別センサー２７は、テープカートリッジＣの種別（以下、「テープ種別」と称する，請求項における「媒体情報」）を検出する。本実施形態では、印刷テープＴのテープ幅、テープ材質、テープ色、およびインクリボンＲのインク色を検出項目とし、それらの組み合わせをテープ種別として検出する。その他、テープカートリッジＣに収容された印刷テープＴがダイカットラベル用か否か、またそのラベル形状を検出項目に含めても良い。さらに、巻き戻し機能を有するテープ印刷装置１の場合は、巻き戻し機能対応のテープか否かを検出項目に含めても良い。なお、検出方法としては、テープカートリッジＣに貼付または印刷された画像（バーコードや２次元コードなど）やＲＦＩＤ（Radio  Frequency  Identification）を読み取る方法、テープカートリッジＣに形成された１以上の孔の有無を検出する方法、などが考えられる。
【００２９】
メモリー７０は、不揮発性の記憶領域であり、テープ印刷装置１のファームウェアや、後述する保存ファイル（図４参照）等を記憶する。印刷機構７１は、印刷ヘッド７、テープ送りモーター２６、カッターモーター２５およびテープカッター２３を含む。印刷ヘッド７は、繰り出された印刷テープＴの記録テープＴａに印刷を行う。テープ送りモーター２６は、繰り出された印刷テープＴをテープ排出口２２（図１参照）に向けて搬送する。カッターモーター２５は、テープカッター２３を駆動し、印刷テープＴの印刷済み部分を切断する。
【００３０】
制御機構７２は、ＣＰＵ（Central  Processing  Unit）およびＲＡＭ（Random  Access  Memory）等によって構成され、上記の各部と連携し、編集処理や印刷制御を行う。特に本実施形態では、編集データおよび環境設定値を含むユーザー設定を、テープ種別と関連付けて保存するユーザー設定保存処理（図１２参照）と、保存しておいたユーザー設定を、テープ種別をキーとして呼び出すユーザー設定呼び出し処理（図１３参照）と、を制御する。詳細については、後述する。
【００３１】
次に、図３を参照し、テープ印刷装置１の機能構成について説明する。テープ印刷装置１は、機能構成として、保存設定部８１、呼び出し設定部８２、媒体情報検出部８３、情報記憶領域８４、媒体情報取得部８５、保存部８６、編集部８７および印刷部８８を備える。
【００３２】
保存設定部８１は、保存部８６によるユーザー設定の保存の要否を設定する（図５〜図７参照）。呼び出し設定部８２は、ユーザー設定の呼び出しの要否を設定する（図８〜図１０参照）。なお、保存設定部８１および呼び出し設定部８２の設定値は、情報記憶領域８４内の第１の領域に保存される。情報記憶領域８４は、メモリー７０に相当する。なお、第１の領域を揮発性の記憶領域（ＲＡＭ）内に設けても良い。
【００３３】
媒体情報検出部８３は、テープ印刷装置１の電源ＯＮ時、カートリッジ装着時、開閉蓋２１の閉蓋時に、テープ識別センサー２７により、カートリッジ装着部６に装着されているテープカートリッジＣのテープ種別を検出する。検出したテープ種別は、情報記憶領域８４内の第２の領域に保存される。この第２の領域も、第１の領域と同様、ＲＡＭ内に設けても良い。なお、テープ印刷装置１が、カートリッジ装着部６にテープカートリッジＣが装着されたことを検出できない構成の場合、開閉蓋２１の開閉検出によってテープカートリッジＣの装着を検出しても良い。
【００３４】
媒体情報取得部８５は、テープカートリッジＣの装着時（第１のトリガーが発生したとき）に、情報記憶領域８４内の第２の領域（またはＲＡＭ）から、テープカートリッジＣのテープ種別（媒体情報）を取得する。また、印刷実行時（第２のトリガーが発生したとき）にも、第２の領域（またはＲＡＭ）から、テープカートリッジＣのテープ種別を取得する。詳細は後述するが、媒体情報取得部８５は、ユーザー設定の呼び出し、またはユーザー設定の保存のトリガー発生時にテープ種別を取得する。
【００３５】
保存部８６は、印刷実行に伴って媒体情報取得部８５によりテープ種別が取得されると、取得したテープ種別と、そのとき（第２のトリガーが発生したとき）のユーザー設定と、を関連付け、保存ファイルとして情報記憶領域８４内の第３の領域に保存する。ここで「ユーザー設定」とは、印刷実行が行われたときに表示画面４１に表示されている編集データ（編集部８７の編集データ）と、そのとき（印刷実行されたとき）にテープ印刷装置１に設定されている環境設定値と、の少なくとも一方を含む。
【００３６】
なお、「編集データ」は、テキストおよびテキスト設定を含む。テキスト設定は、文字モード（書体、飾り字、斜体、強調、伸縮、囲み枠、網掛け、文字間隔）、段落スタイル（縦書き／横書き、文字サイズ、割付け、外枠、表組）、文章書式（定長印刷、地紋印刷、余白）などを含む。また、「編集データ」は、画像（グラフィックデータ）および画像設定も含む。
【００３７】
また、「環境設定値」は、図５の環境設定画面に示す設定項目（「表示濃度（表示画面４１の表示濃度）」、「テープ保存」、「テープ呼び出し」、「電池種類（アルカリ電池／充電式ニッケル水素電池）」、「バックライト（表示画面４１のバックライトのＯＮ／ＯＦＦ）」）を含む。その他、「環境設定値」は、テープカット（印刷終了時における自動テープカットの有無）、印刷濃度、印刷速度、印刷テープＴの幅方向における印刷位置などを含む。
【００３８】
なお、保存部８６は、保存設定部８１の設定にしたがって、ユーザー設定を保存する。例えば、保存設定部８１により、「テキストと設定」が保存「要」と設定された場合（第１の領域内に「テキストと設定」の保存「要」を示す情報が記憶されている場合）には、編集データおよび環境設定値を保存し、「テキストのみ」が保存「要」と設定された場合には、編集データを保存して環境設定値を保存しない。また、保存設定部８１により、「設定のみ」が保存「要」と設定された場合には、環境設定値を保存して編集データを保存せず、「保存しない」と設定された場合には、編集データおよび環境設定値の両方を保存しない。
【００３９】
編集部８７は、テープカートリッジＣの装着に伴って媒体情報取得部８５によりテープ種別が取得されると、取得したテープ種別に関連付けられたユーザー設定を情報記憶領域８４内の第３の領域から呼び出し、編集中の編集データに反映する。ここで「編集中」とは、必ずしもテキスト編集を行うための編集画面にテキストが入力されている途中の状態を指すものではなく、編集画面にテキストが入力されていない状態でも良い。また、表示画面４１に編集画面が表示されていない場合（例えば環境設定画面が表示されている場合など）は、ユーザー設定を反映しない構成としても良いし、編集画面に切り替えられた時点でユーザー設定を反映する構成でも良い。
【００４０】
なお、編集部８７は、呼び出し設定部８２により、呼び出し「要」と設定された場合（第１の領域内に呼び出し「要」を示す情報が記憶されている場合）にユーザー設定を呼び出し、呼び出し「不要」と設定された場合にはユーザー設定を呼び出さない。また、カートリッジ装着時にテープ種別を取得したとき以外にも、ユーザーにより呼び出し操作が行われたとき（例えば、呼び出し確認画面Ｄ２４で「はい」が選択されたとき，図１１参照）にも、ユーザー設定を呼び出す。
【００４１】
印刷部８８は、ユーザーによる印刷実行操作に従い、編集部８７の編集結果に基づいて、印刷テープＴに印刷を行う。なお、保存部８６は、印刷部８８による印刷実行に伴ってユーザー設定を保存するが、既に同じテープ種別の保存ファイルが第３の領域に保存されている場合、ユーザー設定を上書きする。つまり第３の領域には、１つのテープ種別につき１のユーザー設定のみ、保存ファイルとして保存可能となっている。なお、保存部８６によるユーザー設定の保存のトリガー（第２のトリガー）は、印刷部８８による印刷実行ではなく、キーボード３上の印刷実行ボタン（図示省略）の押下でも良い。若しくは、印刷部８８による印刷完了を、ユーザー設定の保存のトリガーとしても良い。
【００４２】
次に、図４を参照し、保存ファイルについて説明する。上述のとおり、保存ファイルは、「テープ種別」と「ユーザー設定」を関連付けたものである。また、「ユーザー設定」とは、「編集データ」および「環境設定値」の少なくとも一方を指す。例えば、図４に示す最上段の保存ファイルは、「テープ種別１」に「編集データＡ」および「環境設定値Ａ」が関連付けられている。なお、中段の保存ファイルのように、ユーザー設定として「編集データ」のみ保存されている場合は、編集部８７によりユーザー設定が反映された場合でも、環境設定値は変更されない（反映前の環境設定値が維持される）。また、下段の保存ファイルのように、ユーザー設定として「環境設定値」のみ保存されている場合は、編集部８７によりユーザー設定が反映された場合でも、編集データは変更されない（反映前の編集データが維持される）。なお、環境設定値を変更しない代わりに、デフォルト値に変更したり、編集データを変更しない代わりに編集画面を初期状態に戻したりしても良い。
【００４３】
次に、図５〜図７の画面遷移図を参照し、ユーザー設定保存操作について説明する。図５に示す画面Ｄ１１は、環境設定画面において、設定項目「テープ保存」が仮選択された状態を示す。画面Ｄ１１の状態で本選択されると（確定操作が行われると）、図６に示すテープ保存設定画面Ｄ１２を表示する。テープ保存設定画面Ｄ１２では、「テキストと設定」、「テキストのみ」、「設定のみ」および「保存しない」の４つの選択肢の中から１つを選択可能である（保存設定部８１，図３参照）。このうち任意の選択肢が選択された状態で本選択されると、図７に示す保存中画面Ｄ１３を表示し、数秒後、図５に示す画面Ｄ１１に戻る。
【００４４】
次に、図８〜図１０の画面遷移図を参照し、ユーザー設定呼び出し操作について説明する。図８に示す画面Ｄ２１は、環境設定画面において、設定項目「テープ呼び出し」が仮選択された状態を示す。画面Ｄ２１の状態で本選択されると、図９に示すテープ呼び出し設定画面Ｄ２２を表示する。テープ呼び出し設定画面Ｄ２２では、「呼び出す」、「呼び出さない」および「確認メッセージを表示する」の３つの選択肢の中から１つを選択可能である（呼び出し設定部８２，図３参照）。このうち任意の選択肢が選択された状態で本選択されると、図１０に示す保存中画面Ｄ２３を表示し、数秒後、図８に示す画面Ｄ２１に戻る。なお、図１１は、テープ呼び出し設定画面Ｄ２２で選択肢「確認メッセージを表示する」が選択された場合に、テープカートリッジＣの装着をトリガーとして表示される呼び出し確認画面Ｄ２４を示す。呼び出し確認画面Ｄ２４では、テープの設定を呼び出す（「はい」）か、呼び出さない（「いいえ」）か、のいずれかの選択肢を選択可能である。
【００４５】
次に、図１２のフローチャートを参照し、ユーザー設定保存処理の流れを説明する。ユーザー設定保存処理では、ユーザーにより印刷実行操作が行われると（Ｓ０１：Ｙｅｓ）、情報記憶領域８４内の第１の領域を参照し、保存設定（テープ保存設定画面Ｄ１２の選択結果）を判定する（Ｓ０２）。例えば、保存設定が「テキストと設定」の場合は、ユーザー設定として、編集中の（印刷実行操作が行われた時点の）編集データと環境設定値を保存する（Ｓ０３）。このとき、情報記憶領域８４内の第２の領域から取得したテープ種別と関連付けてユーザー設定を保存する（以下、Ｓ０４，Ｓ０５も同様）。また、保存設定が「テキストのみ」の場合は、編集中の編集データのみを保存する（Ｓ０４）。また、保存設定が「設定のみ」の場合は、印刷実行操作が行われた時点の環境設定値のみを保存する（Ｓ０５）。さらに、保存設定が「保存しない」の場合は、印刷実行に伴う保存操作を行わない。
【００４６】
次に、図１３のフローチャートを参照し、ユーザー設定呼び出し処理の流れを説明する。ユーザー設定呼び出し処理では、テープカートリッジＣがカートリッジ装着部６に装着されたことを検出すると（Ｓ１１：Ｙｅｓ）、情報記憶領域８４内の第１の領域を参照し、呼び出し設定（テープ呼び出し設定画面Ｄ２２の選択結果）を判定する（Ｓ１２）。例えば、呼び出し設定が「呼び出す」の場合は、情報記憶領域８４内の第３の領域に、情報記憶領域８４内の第２の領域から取得したテープ種別を含む保存ファイルが存在するか否かを判定する（Ｓ１３）。ここで保存ファイルが存在する場合は（Ｓ１３：Ｙｅｓ）、情報記憶領域８４内の第３の領域から保存ファイル内のユーザー設定を呼び出し、編集中の編集データに反映する（Ｓ１４）。なお、ここで既に入力済みの編集データが存在する場合、反映しても良いか否かをユーザーに確認する確認画面を表示しても良い。また、保存ファイルが存在しない場合は（Ｓ１３：Ｎｏ）、編集中の編集データを維持する（Ｓ１５）。さらに、呼び出し設定が「呼び出さない」の場合も、編集中の編集データを維持する（Ｓ１５）。
【００４７】
一方、呼び出し設定が「確認メッセージを表示する」の場合は、呼び出し確認画面Ｄ２４（図１１参照）を表示し（Ｓ１６）、「はい」／「いいえ」の「いずれが選択されたかを判定する（Ｓ１７）。ここで、「はい」が選択された場合は、Ｓ１３に移行し、「いいえ」が選択された場合は、Ｓ１５に移行する。
【００４８】
以上説明したとおり、本実施形態のテープ印刷装置１は、テープカートリッジＣのテープ種別とユーザー設定と、を関連付けて保存しておき、カートリッジ装着時に、装着されたテープカートリッジＣのテープ種別をキーとしてユーザー設定を呼び出す。この構成により、テープカートリッジＣを装着するだけで、何ら情報入力を行うことなく、過去に作成したラベルと同様のラベルを作成することができる。例えば、赤色の印刷テープＴを収容したテープカートリッジＣに関連付けて「警告」のテキストを保存しておき、黄色の印刷テープＴを収容したテープカートリッジＣに関連付けて「注意」のテキストを保存しておけば、テープカートリッジＣを入れ替えるだけで、瞬時に「警告ラベル」や「注意ラベル」を作成することができる。さらに、ユーザー設定を保存する際も、印刷実行に伴って自動保存されるため、ユーザーの手間を省くことができる。
【００４９】
また、ユーザー設定（編集データ）として、テキストだけでなくテキスト設定も保存可能であるため、例えば赤色の印刷テープＴを収容したテープカートリッジＣが装着された場合は文字間隔を密着させ、黄色の印刷テープＴを収容したテープカートリッジＣが装着された場合は文字間隔を広くする、といった使い方も可能となる。さらに、ユーザー設定として、編集データだけでなく環境設定値も保存可能であるため、自動テープカットの有無や印刷濃度の設定などの手間も省くことができ、より迅速に所望のラベルを作成できる。また、ユーザーの好みに応じて、カートリッジ装着時にユーザー設定を呼び出すか否かの呼び出し設定や、印刷実行時にユーザー設定を保存するか否かの保存設定が可能であるため、利便性が良い。
【００５０】
なお、以下の変形例を採用可能である。
［変形例１］
上記の実施形態では、テープ種別とユーザー設定を関連付け、保存ファイルとして保存したが、テープ種別に代えて、テープカートリッジＣの識別子（媒体情報）を保存しても良い。この構成によれば、テープカートリッジＣを一意に特定するため、同じテープ種別であっても、こちらのテープカートリッジＣは、第１のテキスト印刷用、別のテープカートリッジＣは、第２のテキスト印刷用、というように使い分けることができる。
【００５１】
［変形例２］
上記の実施形態では、印刷実行時にユーザー設定を保存したが（第２のトリガーを「印刷実行時」としたが）、開閉蓋２１の開蓋または閉蓋を検出したとき、電源ＯＦＦ操作時、またはユーザーによる保存操作時にユーザー設定を呼び出しても良い。また、保存設定部８１により、保存の要否だけでなく、ユーザー設定を保存するタイミングを設定可能としても良い。
【００５２】
［変形例３］
また、カートリッジ装着時にユーザー設定を呼び出したが（第１のトリガーを「カートリッジ装着時」としたが）、開閉蓋２１の開蓋または閉蓋を検出したとき、電源ＯＮ時、またはユーザーによる呼び出し操作時にユーザー設定を呼び出しても良い。また、呼び出し設定部８２により、呼び出しの要否だけでなく、ユーザー設定を呼び出すタイミングを設定可能としても良い。
【００５３】
［変形例４］
上記の実施形態では、既に同じテープ種別の保存ファイルが保存されている場合、ユーザー設定を上書きするものとしたが、このとき上書きしても良いか否かをユーザーに確認する確認画面を表示しても良い。また、更なる変形例として、１つのテープ種別に対して複数のユーザー設定を保存可能としても良い。この場合、ユーザー設定呼び出し時に、ユーザー設定を選択可能とすることが好ましい。
【００５４】
［変形例５］
上記の実施形態では、テープカートリッジＣが装着されたとき、装着されたテープカートリッジＣのテープ種別と同一のテープ種別を含む保存ファイルが存在しない場合、ユーザー設定の呼び出しを行わない（編集中の編集データを維持する）ものとしたが、このように同一のテープ種別を含む保存ファイルが存在しない場合、近似するテープ種別のユーザー設定を選択可能としても良い。例えば、１０ｍｍ幅赤色の印刷テープＴが収容されたテープカートリッジＣが装着された場合であって、１０ｍｍ幅赤色のテープ種別に対応したユーザー設定が保存されていない場合、１０ｍｍ幅青色または１０ｍｍ幅黄色のテープ種別に対応したユーザー設定を、反映候補として表示画面４１に表示しても良い。
【００５５】
［第２実施形態］
次に、図１４〜図１６を参照し、本発明の第２実施形態について説明する。上記の第１実施形態では、本発明の情報処理装置をテープ印刷装置１に適用したが、本実施形態ではＰＣ１００に適用する。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００５６】
図１４は、第２実施形態に係る印刷システムＳＹの機能構成を示すブロック図である。本実施形態の印刷システムＳＹは、ＰＣ１００およびテープ印刷装置１０１を備える。本実施形態のＰＣ１００のハードウェア構成は、一般的なパーソナルコンピューターと同様であり、表示手段、入力手段、記憶手段および制御手段等を備える。また、記憶手段には、テープ印刷装置１０１と連携するための連携アプリケーションを記憶している。一方、テープ印刷装置１０１は、第１実施形態に示したテープ印刷装置１と同様のハードウェア構成を採用しても良いが、キーボード３および表示画面４１を省略した構成でも良い。
【００５７】
ＰＣ１００は、機能構成として、保存設定部８１、呼び出し設定部８２、媒体情報取得部８５、保存部８６、編集部８７および通信部９１を備える。これらは、ＰＣ１００内に記憶された上記の連携アプリケーションにより実現される機能である。一方、テープ印刷装置１０１は、機能構成として、媒体情報検出部８３、情報記憶領域８４、印刷部８８および通信部９２を備える。
【００５８】
通信部９１，９２は、ＰＣ１００とテープ印刷装置１０１間で通信を行うものであり、接続形態（ネットワーク／１対１接続）や通信形態（無線／有線通信）、通信規格は問わない。本実施形態の媒体情報検出部８３は、テープ種別（媒体情報）を検出すると、その検出結果をテープ印刷装置１０１内の情報記憶領域８４に保存する。また、本実施形態の媒体情報取得部８５は、第１のトリガー発生時に、通信部９１，９２を介してテープ印刷装置１０１からテープ種別を取得する。
【００５９】
また、本実施形態の編集部８７は、呼び出し設定を確認し、「呼び出す」と設定されている場合は、テープ印刷装置１０１から、先に取得したテープ種別に関連付けられたユーザー設定を取得し、編集データに反映する。また、編集部８７は、編集結果に基づいて印刷データを生成し、通信部９１，９２を介してテープ印刷装置１０１に送信する。なお、テープ印刷装置１０１が、第１のトリガー発生に伴って、ＰＣ１００にユーザー設定を送信し、ＰＣ１００側でそのユーザー設定（編集データ）を表示して、反映するか否かを選択可能としても良い。
【００６０】
また、本実施形態の媒体情報取得部８５は、第２のトリガー発生時に、通信部９１，９２を介してテープ印刷装置１０１からテープ種別を取得する。また、本実施形態の保存部８６は、取得したテープ種別とユーザー設定とを関連付けた保存ファイルを生成し、テープ印刷装置１０１に送信する。テープ印刷装置１０１は、送信された保存ファイルを情報記憶領域８４に保存する。なお、テープ印刷装置１０１が、ＰＣ１００から印刷データを受信したとき、当該印刷データをユーザー設定（編集データ）として情報記憶領域８４に保存する構成でも良い。
【００６１】
以上説明したとおり、第２実施形態によれば、ＰＣ１００により、ユーザー設定の保存処理や呼び出し処理を制御できるため、テープ印刷装置１０１の制御負荷を軽減でき、ひいてはテープ印刷装置１０１の低廉化を図ることができる。
【００６２】
なお、本実施形態では、テープ印刷装置１０１において、印刷履歴を保存する際、テープ種別を関連づけて記憶することにより、図１５，図１６に示す２種類の印刷履歴を表示可能である。図１５は、テープ印刷装置１０１に記憶されている全ての印刷履歴をＰＣ１００の表示画面１１０に表示した状態を示す図である。同図において、「テープ種別＊」とは、テープ種別の内容（テープ幅やテープ色などの情報）を示す。このように、印刷履歴をテープ種別と共にテープ印刷装置１０１に保存しておき、ＰＣ１００に転送することで、ユーザーは、表示された候補の中からテープ種別を参考に所望の候補を選択し、編集データに反映させることができる。
【００６３】
一方、図１６は、テープ種別で抽出された印刷履歴の表示例を示す図である。このように、印刷履歴をテープ種別で抽出して表示することで、ユーザーは候補の選択を容易且つ迅速に行うことができる。なお、印刷履歴の抽出は、ＰＣ１００側で行っても良いし、テープ印刷装置１０１側で行っても良い。
【００６４】
なお、以下の変形例を採用可能である。
［変形例１］
第２実施形態では、情報記憶領域８４をテープ印刷装置１０１側に設けたが、ＰＣ１００側に設けても良い。
【００６５】
［変形例２］
また、第２実施形態では、上記の連携アプリケーションの起動時、またはテープ印刷装置１０１との通信確立時を、第１のトリガーとしても良い。
【００６６】
以上、２つの実施形態および変形例を示したが、これらに示したテープ印刷装置１または印刷システムＳＹにおける各構成要素をプログラムとして提供しても良い。また、そのプログラムを各種記録媒体（ＣＤ−ＲＯＭ、フラッシュメモリー等）に格納して提供しても良い。すなわち、コンピューターをテープ印刷装置１または印刷システムＳＹの各構成要素として機能させるためのプログラム、それを記録した記録媒体、並びにそれによって作成されたラベルも、本発明の権利範囲に含まれる。その他、第２実施形態のＰＣ１００に代えてタブレット端末など他の情報処理端末を用いたり、ＰＣ１００の各部をクラウドコンピューティングで実現するなど、本発明の要旨を逸脱しない範囲で、適宜変更が可能である。
【符号の説明】
【００６７】
１：テープ印刷装置  ８１：保存設定部  ８２：呼び出し設定部  ８３：媒体情報検出部  ８４：情報記憶領域  ８５：媒体情報取得部  ８６：保存部  ８７：編集部  ８８：印刷部
【図１】
2017052249.tif 000003
【図２】
2017052249.tif 000004
【図３】
2017052249.tif 000005
【図４】
2017052249.tif 000006
【図５】
2017052249.tif 000007
【図６】
2017052249.tif 000008
【図７】
2017052249.tif 000009
【図８】
2017052249.tif 000010
【図９】
2017052249.tif 000011
【図１０】
2017052249.tif 000012
【図１１】
2017052249.tif 000013
【図１２】
2017052249.tif 000014
【図１３】
2017052249.tif 000015
【図１４】
2017052249.tif 000016
【図１５】
2017052249.tif 000017
【図１６】
2017052249.tif 000018